(57)【要約】【課題】  防犯エリアを固定または限定せずに、いつ、どこで、どんな状況で事件、事故が発生していたのかを、画像、音声、位置情報、撮影時刻により明確にする監視システムを提供する。【解決手段】  少なくともカメラを内蔵し、カメラによって、所定の間隔で撮影し、ワイヤレス伝送するために移動体が装着する携帯端末と、携帯端末が撮影した画像を受信し記録及び管理するサーバとを備える。  また、携帯端末は、更に音を入力する音入力手段を備え、音入力手段によって入力した音をサーバに伝送し、サーバは、受信した音情報を記録及び管理する。  また、更に、サーバは、ネットワークを介してクライアント端末と結合し、クライアント端末の要求に応じて、記録した情報を配信する。【選択図】  図１
2006101121.tif 000002
【特許請求の範囲】
【請求項１】
少なくともカメラを内蔵し、該カメラによって、所定の間隔で撮影し、ワイヤレス伝送するために、移動体が装着する携帯端末と、該携帯端末が撮影した画像を受信し記録及び管理するサーバとを備えたことを特徴とする監視システム。
【請求項２】
請求項１記載の監視システムにおいて、上記携帯端末は、更に音を入力する音入力手段を備え、該音入力手段によって入力した音を上記サーバに伝送し、上記サーバは、受信した音情報を記録及び管理することを特徴とする監視システム。
【請求項３】
請求項１または請求項２記載の監視システムにおいて、更に、上記サーバは、ネットワークを介してクライアント端末と結合し、上記クライアント端末の要求に応じて、記録した情報を配信することを特徴とする監視システム。
【発明の詳細な説明】
【技術分野】
【０００１】
本発明は、通学路などで人物に装着したカメラで撮影した画像をワイヤレス回線で記録管理する監視システムに関するものである。
【背景技術】
【０００２】
従来技術は、園内、校内に設置されているカメラの映像、音声を記録、管理するシステムや通学路などでは、子供防犯灯による防犯システム等の監視システムがある（例えば、特許文献１参照。）。
【０００３】
【特許文献１】特開２００３−１７９９１２号公報
【発明の開示】
【発明が解決しようとする課題】
【０００４】
上述の従来技術では、監視エリアが固定、または限定されたものであった。
本発明の目的は、監視エリアを限定しない監視システムを提供することにある。
【課題を解決するための手段】
【０００５】
上記の目的を達成するために、本発明の監視システムは、人体にカメラを取付け、撮影した画像をワイヤレス回線を利用して、監視記録装置に伝送し、監視記録装置により記録管理するものである。
更に、犯人像の画像の他に、音声、犯人の場所を推定するためのＧＰＳ位置情報、及び、撮影時刻を伝送することによって、いつ、どこで、どんな状況で事件、事故が発生したのかを把握できるものである。
【０００６】
また、本発明の監視システムは、少なくともカメラを内蔵し、カメラによって、所定の間隔で撮影し、ワイヤレス伝送するために、移動体が装着する携帯端末と、携帯端末が撮影した画像を受信し記録及び管理するサーバとを備える。
また、本発明の監視システムの携帯端末は、更に音を入力する音入力手段を備え、音入力手段によって入力した音をサーバに伝送し、サーバは、受信した音情報を記録及び管理するものである。
また、本発明の監視システムは、更に、サーバは、ネットワークを介してクライアント端末と結合し、クライアント端末の要求に応じて、記録した情報を配信するものである。
【発明の効果】
【０００７】
本発明によれば、防犯エリアを固定または限定せずに、いつ、どこで、どんな状況で事件、事故が発生していたのかを、画像、音声、位置情報、撮影時刻により明確にすることのできる。
【発明を実施するための最良の形態】
【０００８】
図１によって本発明の一実施例を説明する。図１は、本発明の防犯システムの一実施例を説明するための図である。
図１において、人物等の移動体 10-1 〜 10-n（ n は自然数）に装着された携帯端末は、撮影して取得した画像を、撮影の都度、記録管理サーバ 20 に伝送する。
記録管理サーバ 20 は、例えば、監視業務を委託された警備会社や学校、市役所、警察署、等の公共施設、あるいはビルやマンションの管理会社、等に設置されている。
また、携帯端末には、ワイヤレス伝送装置が備えられ、撮影の都度、自動的に記録管理サーバ 20 に画像を伝送する。
【０００９】
また、携帯端末は、画像の他、その携帯端末の ID（ IDentifier ）、及び、画像が撮影された時の情報（音声、位置情報、撮影時刻）をワイヤレス回線で記録管理サーバ 20 に送信する。
尚、画像の撮影、音声の取得、位置情報の取得は、あらかじめ設定された所定の時間間隔で実行しても良い。また、携帯端末に備えられた機器の機能や電源が許すならば、常時送信しても良い。
また、画像を撮影した時だけではなく、音声が録音された時、あるいは、音を検知した時に、その音情報、及び、その時の情報（携帯端末の ID 、位置情報、取得時刻）を伝送しても良い。また、音声が録音された時に、撮影を開始し、画像及び ID と撮影された時の情報を伝送しても良い。
【００１０】
位置情報の取得は、例えば、携帯端末に備えられた GPS（ Global Positioning System ）、DGPS（ Differential GPS ）等の人工衛星からの電波や地上波等を利用して、発信される電波の位相を計算し、受信者と人工衛星の間で三角測量を行なうことで位置を調べるシステムを用いる。
記録管理サーバ 20 は、伝送された情報（例えば、画像、音声、位置、時刻、携帯端末の ID ）をハードディスクなどの記録媒体へ記録保存する。
【００１１】
図１の携帯端末とは、画像を撮影するカメラ、音声を集音するマイク、位置情報を取得する GPS 、撮影時刻を取得する時計の機能を少なくとも備え、且つ、これらの構報をワイヤレス回線で記録管理サーバヘ常時送信する機能を持つ。
図２は、移動体 10（例えば、移動体 10-1 〜 10-n ）への携帯端末 30 の装着例を示す図である。
また、携帯端末 10 は、容易に撮影機能があることが気付かれにくい形状、構造とする。また、例えば、携帯端末 10 を装着した時に、同時に防犯ベルを携帯して注意を防犯ベルに向けさせるようにしても良い。
【００１２】
図２の実施例では、人物等の移動体 10 が、左胸の服の上に、携帯端末 30 を装着し、装着された携帯端末 30 は、例えば、定期的に画像の撮影、音の集音、音の検知、位置情報の取得、及び、それらの情報の伝送を行う。
尚、携帯端末 30 は、移動体 10 の所持品、例えば、カバン、等に装着しても良い。
尚、携帯端末は、入射光を取り入れる窓、マイクの集音口等、必要な部分以外は外部に見えている必要はない。
【００１３】
また、移動体 10 は、必要と考えた時に、携帯端末と結合したスイッチ（図示しない）を押すことにより、画像の撮影、音の集音、音の検知、位置情報の取得、及び、それらの情報の伝送を行う。スイッチは、ワイヤレスであっても良い。
更に、携帯端末の撮影や画像の伝送、音声その他の情報の伝送は、防犯ベルの音を検知して、実行されても良い。また、防犯ベルは携帯端末に付属していても良い。また、当然、防犯ベルは、携帯端末に防犯ベルの発生音が検知される範囲であれば良いことは言うまでもない。
【００１４】
記録管理サーバ 20 は、携帯端末より送られてきた画像、その他の情報をハードディスクなどの記録媒体へ記録する。
また、記録管理サーバ 20 は、モニタ、入出力機器を備え、撮影時刻、位置情報を検索し、撮影された画像と音声を再生することができる。
【００１５】
また、記録管理サーバ 20 は、電話回線等のネットワーク網を介して、要求のあったクライアントに画像及びその他の情報を配信する。
図３は、本発明の一実施例の監視システムを説明するための図である。携帯端末 10-1 ，‥‥‥，10-n から伝送される画像、音声、その他の情報は、ワイヤレス回線で、記録管理サーバ 20 に伝送される。記録管理サーバ 20 は、受信した画像、音声、その他の情報を記録し、伝送元の ID と共に記録する。また、監視員は、記録管理サーバ 20 に備えられたモニタに表示することよって、伝送された情報を監視し、必要なら、警察、学校、等に通報する。その、通報の手段として、電話等の他、ネットワーク 40 を介して、契約したクライアント端末 50-1 ，‥‥‥，50-m（ m は自然数）に連絡しても良い。
【００１６】
クライアントは、必要な時に、記録管理サーバ 20 にネットワーク 40 を介して結合し、携帯端末 10-1 ，‥‥‥，10-n のうち、所望の携帯端末を指定して、現在または指定した時刻の画像、音声、その他の情報を配信させ、それぞれのクライアント端末 50-1 ，‥‥‥，50-m に表示する。
【図面の簡単な説明】
【００１７】
【図１】本発明の一実施例の監視システムを説明するための図。
【図２】本発明の一実施例を説明するための図。
【図３】本発明の一実施例の監視システムを説明するための図。
【符号の説明】
【００１８】
10，10-1，‥‥‥，10-n：携帯端末、  20：記録管理サーバ、  30：携帯端末、  40：ネットワーク、  50-1，‥‥‥，50-m：クライアント端末。
【図１】
2006101121.tif 000003
【図２】
2006101121.tif 000004
【図３】
2006101121.tif 000005